(57)【特許請求の範囲】
【請求項１】
二枚の壁パネルの上方から嵌合し、壁パネル同士を合わせて固定する壁固定部材において、壁固定部材は、壁パネル裏面の左右端部に設けられた縦桟と、縦桟に裏面から嵌合して壁パネル同士を連結する連結材と、を挟み込んで固定する挟持部を備えており、壁パネル上面に天井固定部材が挿入されて設けられており、壁固定部材は壁パネルとで挟み込んで天井固定部材の回転を防止する回転防止板を備えることを特徴とする壁固定部材。
【請求項２】
請求項１に記載の壁固定部材において、壁パネルは裏面中央部に補強材を備え、壁固定部材は壁パネルの補強材裏面を押圧する押圧部を備えていることを特徴とする壁固定部材。
【発明の詳細な説明】
【技術分野】
【０００１】
本発明は、浴室などに使用される二枚の壁パネルを、互いに隣接して固定する壁固定部材に関するものである。
【背景技術】
【０００２】
従来、図１０（ａ）に示すように、浴室などに使用される二枚の壁パネル１を、連結材８０を介して接続する接続構造は知られている。
【０００３】
また、縦桟の上部に嵌め込まれて、二枚の壁パネルの上部を接続し、天井を固設する金物が知られている（特許文献１参照）。具体的には、この金物は、角パイプフレーム内に挿入し得る挿入片と、挿入片が挿入された時に角パイプフレーム内に弾着されるバネ片と、パネルの立上片部を挟むことのできる挟圧片と、を有し、金物を上方より、互いに隣接する二枚の壁パネルの角パイプフレームに叩き込んで、金物を介し壁パネルに天井パネルを固設するとともに、二枚の壁パネルを接続する。
【０００４】
ところで、図９は、本発明の開発過程において、本発明に先立ち、出願人が開発した天井固定部材７１によって、壁パネル１を天井７０に位置決めする構成を示す図である。天井固定部材７１は、本体部７２と、本体部７２の上端から前方へ張り出した張り出し部７３と、張り出し部７３から下方に突出した係合突起７４と、張り出し部７３から上方に延びるフック状の係合部７５と、を備えている。    
【０００５】
係合突起７４は、壁パネル１の表面材３の上面１０に形成された係止孔７７に挿入され、係合部７５は、天井７０に形成された係合孔７６に係合する。これによって、壁パネル１を天井７０に位置決めされる。
【先行技術文献】
【特許文献】
【０００６】
【特許文献１】特許第２５９９０４３号公報
【発明の概要】
【発明が解決しようとする課題】
【０００７】
図１０（ａ）に示す壁パネルの接続構造では、壁パネルの連結材８０に縦方向（上下方向）の外力がかかると、連結材８０は、図１０（ａ）で矢印に示すようにたわむが、連結材８０の剛性を上げれば、改善可能である。
【０００８】
しかしながら、図１０（ｂ）のように、二枚の壁パネル１の接続部に裏面側に向けて矢印に示すような前後方向の外力が加わると、二枚の壁パネル１の接続部において開く方向のたわみが生じ、連結された二枚の壁パネル１の破損などの起因となり、連結材の剛性を上げても改善されない。
【０００９】
図９に示す比較例では、壁パネル１に裏面側に向けて、矢印のような前後方向の外力が加わると、補強材２が天井固定部材７１の本体部７２を後方に押して、天井固定部材７１が矢印のように前後方向に回動してしまう。その結果、壁パネル１は、天井固定部材７１の天井７０の係合孔７６に係合している箇所を中心に後方に、下方が後方へとたわんでしまう。
【００１０】
本発明は、上記問題を解決することを目的とし、互いに隣接する二枚の壁パネルを連結し、しかも連結された二枚の壁パネルの剛性が上がり、壁連結部が開く方向のたわみを抑えることを可能とする壁固定部材を実現する。
【課題を解決するための手段】
【００１１】
本発明は上記課題を解決するために、二枚の壁パネルの上方から嵌合し、壁パネル同士を合わせて固定する壁固定部材において、壁固定部材は、壁パネル裏面の左右端部に設けられた縦桟と、縦桟に裏面から嵌合して壁パネル同士を連結する連結材と、を挟み込んで固定する挟持部を備えており、壁パネル上面に天井固定部材が挿入されて設けられており、壁固定部材は壁パネルとで挟み込んで天井固定部材の回転を防止する回転防止板を備えることを特徴とする壁固定部材を提供する。
【００１２】
壁パネルは裏面中央部に補強材を備え、壁固定部材は壁パネルの補強材裏面を押圧する押圧部を備えていることが好ましい。
【発明の効果】
【００１４】
本発明によると、二枚の壁パネルの上方から嵌合し、 壁パネル同士を併せて固定する壁固定部材において、壁固定部材は、 壁パネル裏面の左右端部に設けられた縦桟と、縦桟に裏面から嵌合して壁パネル同士を連結する連結材を挟み込み固定されることで、壁パネルの剛性が上がり、壁連結部が開く方向のたわみを抑えることが可能となる。
【図面の簡単な説明】
【００１５】
【図１】本発明の実施例の壁固定部材で固定される壁パネルを説明する図であり、（ａ）は斜視図であり、（ｂ）は（ａ）のＢ−Ｂ断面図である。
【図２】（ａ）は上記実施例の壁固定部材で固定される二枚の壁パネルを、互いに同じ垂直面内で隣接して配置した状態を示し、（ｂ）は二枚の壁パネルを接続する連結材の斜視図であり、（ｃ）は連結材の平面図である。
【図３】上記実施例の二枚の壁パネルを接合した接合構造を示す図で、（ａ）は斜視図であり、（ｂ）は平面図である。
【図４】壁固定部材を、互いに接続された二枚の壁パネルに上方から嵌合する前における、壁固定部材と壁パネル接続構造を示す斜視図である。
【図５】上記実施例の壁固定部材を説明する図であり、（ａ）は壁固定部材を斜め前方から見た斜視図であり、（ｂ）は壁固定部材の補助金具の斜視図であり、（ｃ）は補助金具の取り付けた状態における壁固定部材の垂直断面図である。
【図６】上記実施例の壁固定部材による壁パネルの固定構造を説明する図であり、（ａ）は垂直断面図であり、（ｂ）は左右方向の別の位置における断面図であり、（ｃ）は（ａ）のＣ−Ｃ断面図である。
【図７】本発明の実施例を応用した応用例を説明する図であり、上記実施例の壁固定部材で固定される壁パネルに天井固定部材を装着する構成を説明する図であり、（ａ）は天井固定部材を壁パネルに装着する前の状態を示し、（ｂ）は天井固定部材を壁パネルに装着した状態を示す。
【図８】（ａ）は上記天井固定部材を壁パネルに装着した構成の断面図を示し、（ｂ）は上記応用例における変形例の構成の断面図を示す。
【図９】本発明に先立ち本発明者らが開発した比較例を説明する図であり、壁固定部材に取り付けた天井固定部材を天井に係合させた状態を示す図である。
【図１０】従来の壁パネルの接続構造を説明する図であり、（ａ）は隣接する二枚の壁パネルを連結する構成を示す図であり、（ｂ）は従来の壁パネルの接続構造の問題を説明する平面図である。
【発明を実施するための形態】
【００１６】
本発明に係る壁固定部材を実施するための形態を実施例に基づき図面を参照して、以下説明する。
【実施例】
【００１７】
本発明に係る壁固定部材の実施例を図１〜６を参照して以下に説明する。本発明に係る壁固定部材は、互いに同一垂直面内で隣接して接続された二枚の壁パネルの上方から嵌合し、壁パネル同士を合わせ固定するものである。本明細書では、壁パネルの表面側は、例えば浴室内側とし、壁パネルの裏面側から見て、前を前方とし、後ろを後方とし、左右を左右方向とする。
【００１８】
本発明の壁固定部材の構成、作用などを明確にするために、本発明の壁固定部材によって固定する対象である連結材で接続された二枚の壁パネルについて、まず、壁パネルと連結材の概要を説明する。
【００１９】
本実施例では、壁パネル１は、図１（ａ）、（ｂ）に示すように、芯となる補強材２と、薄板で構成される表面材３と、表面材３の左右端部における裏面側の設けられる縦桟４と、を備えている。補強材２は、例えば、石膏ボードなどの材料が使用され、その前面側が表面材３で覆われる。
【００２０】
表面材３は、金属製の薄板から成り、その表面に塩化ビニルなどの薄膜が塗布され、防錆性、耐水性、耐蝕性を有するように処理されている。図１（ａ）、（ｂ）に示すように、表面材３は、左右の側端部において、その前面７がそれぞれ裏面側に略コの字状に折り曲げられて形成された側面８および裏面９を備えている。
【００２１】
表面材３の上端は後方に折り返され水平な上面１０が形成され、さらに上面１０の後縁から前斜め下方に折返し面１１が形成されている。上面１０は左右の側端部において、それぞれ切り欠かれて切り欠き部１２が形成されている。
【００２２】
縦桟４は、図１（ａ）、（ｂ）に示すように、断面略角パイプ状に形成されており、その後壁１５には連結材嵌合用のスリット１７が形成されている。このスリット１７は、太幅部１８と細幅部１９とから構成されている。
【００２３】
縦桟４は、表面材の左右側端部において、前面７と側面８の間に側方から差し込まれ、裏面９に設けられたダボを縦桟４に形成されたダボ孔に係合させて成る固定部２４で固定される。
【００２４】
以上のようにして形成された互いに隣接する二枚の壁パネル１は、図２（ａ）に示すように同一垂直面内に配置され、図３（ａ）に示すように連結材２５を介して接続される。連結材２５は、金属材が、図２（ｂ）、（ｃ）に示すような形状に折り曲げられて形成されたものである。
【００２５】
連結材２５は、左右の当接部２６と、左右の当接部２６の間で当接部２６から後方に向けて突出した非当接部２７と、当接部２６に対して横幅方向外側に形成された左右のリブ部２８とを備えている。左右の当接部２６の前面には、図２（ｃ）に示すように、それぞれ前方に突出した突起部２９が設けられている。
【００２６】
この突起部２９は当接部２６に固定された首部３２と、首部３２を介して前方に向けてテーパ状に拡大する大径部３３とから形成されている。大径部３３の最大直径は、スリット１７の太幅部１８の幅より小さく、細幅部１９の幅より大きく形成されている。
【００２７】
２つの隣接する壁パネル１を連結材２５で接続する場合は、連結材２５の左右の突起部２９の大径部３３を、縦桟４のスリット１７の太幅部１８からスリット１７内に差し込み、連結材２５を下方に移動して突起部２９の大径部３３を細幅部１９に嵌合させる。
【００２８】
すると、二枚の壁パネル１は、その２つの縦桟４が連結材２５の左右の当接部２６に当接し、縦桟４のスリット１７の細幅部１９に連結材２５の左右の突起部２９が嵌合することで、図３（ｂ）に示すように、それぞれ連結材２５に固定され、互いに連結材２５を介して接続された状態となる。二枚の壁パネル１の隙間には、目地材３４が挿入されて止水される。  
【００２９】
本発明に係る壁固定部材４０は、図４、図６（ａ）に示すように、互いに同一垂直面内で隣接して連結材２５によって接続された二枚の壁パネル１の上方から嵌合し、壁パネル１同士を合わせさらに固定するものである。連結材２５の後面側は、カバー部材３５でカバーされている。
【００３０】
壁固定部材４０は、図４、図５（ａ）、（ｃ）に示すように、壁固定部材本体４１と左右２つの補助金具４２を備えている。壁固定部材本体４１および補助金具４２は、それぞれ金属材などで形成される。
【００３１】
壁固定部材本体４１は、垂直な背面壁４５と、背面壁４５の上端から左右端部を除いて前方に水平に折り曲げられた頂壁４６と、背面壁４５の上端から中央部を除いて前方に水平に折り曲げられた左右の底壁４７と、左右の底壁４７の前端から上方に折り曲げられた押圧部４８と、を備えている。
【００３２】
詳細は後記するが、壁パネル１に対して後方への力が加わると、壁パネル１を天井７０に位置決めする天井固定部材７１がその天井への係合箇所を中心に回転し、壁パネル１が天井に対し傾斜したり、たわみが生じたりする問題があるが、背面壁４５は、そのような天井固定部材７１の回転を防止する回転防止板として機能する。
【００３３】
補助金具４２は、図５（ｂ）、（ｃ）に示すように、取付部５１と、取付部５１の前側に位置する弾接部５２とから一体に形成されている。取付部５１は、水平に延びる頂部５５と、頂部５５の後端から下方に延びる背部５６と、から成る。弾接部５２は、頂部５５の前端から下方に延びる垂直部５７と、垂直部５７の下端から斜め上前方に延びさらに斜め上後方に折り返された折返し部５８とから構成される。
【００３４】
２つの補助金具４２は、それぞれ図５（ａ）、（ｃ）に示すように、その背部５６が壁固定部材本体４１の背面壁４５に当接した状態で、その頂部５５が壁固定部材本体４１の頂壁４６の下面の一部にカシメなどの固定手段６１より固定され、壁固定部材本体４１内に固定される。
【００３５】
後記するが、連結材２５で連結された二枚の壁パネル１を壁固定部材４０で固定する場合には、補助金具４２の弾接部５２を、縦桟４内に上方から挿入して縦桟４と弾力的に係合させる。そして、この弾接部５２と、補助金具４２の背部５６が当接した壁固定部材４０の背面壁４５とによって、連結材２５を挟持する。
【００３６】
このように、補助金具４２と、補助金具４２の背部５６が当接した壁固定部材４０の背面壁４５とは、壁固定部材４０における挟持部６２として機能する。
【００３７】
（作用）
以上説明した壁固定部材４０を用いて、図３（ａ）、（ｂ）に示すように、同一垂直面内で互いに接続された隣接する二枚の壁パネル１を壁固定部材４０によって固定する工程、およびその結果得られる固定構造を含め、壁固定部材４０の作用について説明する。
【００３８】
同一垂直面内で互いに接続された隣接する二枚の壁パネル１を、壁固定部材４０を用いて固定するためには、壁固定部材４０を、図４の矢印に示すように、上方から、連結材２５で接続された二枚の壁パネル１に向けて移動して装着する。
【００３９】
この装着に際しては、図６（ａ）、（ｃ）に示すように、壁固定部材４０の背面壁４５を連結材２５の非当接部２７に後方から当接するとともに、左右の補助金具４２の弾接部５２をそれぞれ左右の縦桟４内にその上端の開口５から、弾接部５２の弾力に抗して押し込むようにして挿入する。
【００４０】
そして、補助金具４２の頂部５５および壁固定部材４０の頂壁４６を上方から連結材２５の上端に被せて当接し、さらに、図６（ｂ）に示すように、壁固定部材４０の押圧部４８は補強材２の後面に押し当てる。
【００４１】
補助金具４２の弾接部５２を、縦桟４の上端の開口５内に挿入すると、図６（ａ）、（ｃ）に示すように、弾接部５２の垂直部５７が縦桟４の後壁１５の前面に弾力的に当接し、弾接部５２の折返し部５８が縦桟４の前壁１６の後面に弾力的に当接する。このため、補助金具４２の弾接部５２は、縦桟４内にしっかりと嵌合し固定される。
【００４２】
壁固定部材４０の背面壁４５には補助金具４２の背部５６が当接するが、この壁固定部材４０の背面壁４５と補助金具４２の弾接部５２は、その間に、連結材２５を挟持する挟持部として機能する。補助金具４２の弾接部５２は、その弾力によって、縦桟４の後壁１５を介してより強い力で挟持する。
【００４３】
このようにして、二枚の壁パネル１を接続する連結材２５と二枚の壁パネル１の２つ縦桟４が、壁固定部材４０によって、より強固に固定される。その結果、連結材２５で接続された二枚の壁パネル１は、壁固定部材４０により、互いに強固に固定され、前方側からの外力が加えられても、たわむようなことが抑制される。
【００４４】
そして、図６（ｂ）に示すように、壁固定部材４０の押圧部４８を、補強材２の後面に前方に向けて押し当てる構成としたので、互いに固定された二枚の壁パネル１に前方から後方に向けて外力がかかっても、二枚の壁パネル１が後方へのたわむことを抑制することができる。
【００４５】
（応用例）
本発明に係る実施例の壁固定部材４０を適用した構成の応用例を、図７、図８を参照して説明する。この応用例は、実施例の壁固定部材４０によって、二枚の壁パネル１を接続して固定し、さらに、二枚の壁パネル１を、図８（ａ）、（ｂ）に示すように、天井７０に取り付けるための天井固定部材７１を装着した構成である。
【００４６】
この応用例を通して、本発明の壁固定部材４０の特徴をさらに明確にする。壁固定部材４０によって接続して固定した二枚の壁パネル１に、図７（ａ）、（ｂ）に示すような天井固定部材７１を装着する。これによって、二枚の壁パネル１は、天井固定部材７１を介して天井７０に係合され、天井に対して位置決めされる。
【００４７】
天井固定部材７１は、図７（ａ）、図８（ａ）に示すように、本体部７２と、本体部７２の上端から前方へ張り出した張り出し部７３と、張り出し部７３から下方に突出した係合突起７４と、張り出し部７３から上方に延びるフック状の係合部７５と、を備えている。係合部７５は、天井７０に形成された係合孔７６に挿入されて係合し、壁パネル１が天井に対して位置決めされる。
【００４８】
天井固定部材７１を、壁固定部材４０によって固定された二枚の壁パネル１に装着する時には、図７（ｂ）、図８（ａ）に示すように、天井固定部材７１の本体部７２を、壁固定部材４０の頂壁４６の側方であって、背面壁４５の前面と表面材３の上面１０の折返し面１１との間に挿入するとともに、天井固定部材７１の係合突起７４を、表面材３の上面１０に形成された係止孔７７に挿入して係合させる。
【００４９】
このように装着すると、図８（ａ）に示すように、壁パネル１は、天井７０に対して位置決めされる。そして、壁パネル１は、矢印に示すように、前方側（例えば浴室側）から外力が加わっても、天井固定部材７１は、壁固定部材４０の背面壁４５によってその回転などの動きが拘束される。
【００５０】
要するに、背面壁４５は、そのような天井固定部材７１の回転を防止する回転防止板として機能する。従って、天井固定部材７１は、天井７０に対する回転（図９の矢印参照）が抑制され、壁パネル１が、天井固定部材７１の係合部７５の天井７０の係合孔７６に係合している箇所を中心にして後方への回転やたわみ（図１０（ｂ）参照）が増大することを防止できる。
【００５１】
なお、図８（ｂ）は、図８（ａ）に示す応用例に対し、若干構成を変えた変形例を示す断面図である。この変形例では、壁固定部材４０の押圧部４９の高さを、図８（ｂ）に示す押圧部４８の高さよりさらに高くになるように形成し、壁固定部材４０の背面壁４５と押圧部４９の間に天井固定部材７１の本体部を挟み込む構成とした。
【００５２】
このような変形例によると、天井固定部材７１の本体部７２は、壁固定部材４０の背面壁４５と押圧部４９および補強材２との間に挟み込まれ、より強力に支持されるので、天井固定部材７１の係合部７５は、その回動がより抑制され、壁パネル１のたわみが増大することを一層防止できる。
【００５３】
以上、本発明に係る壁固定部材を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５４】
本発明に係る壁固定部材は上記のような構成であるから、建築物のいろいろな箇所の構造用、仕切り用など、各種用途で用いられる壁としても適用可能である。
【符号の説明】
【００５５】
１  壁パネル                               
２  補強材                                 
３  表面材                                 
４  縦桟                                   
５  縦桟の開口                             
７  表面材の前面                           
８  表面材の側面                           
９  表面材の裏面                           
１０  表面材の上面                           
１１  表面材の折返し面                     
１２  上面の切り欠き部                       
１５  縦桟の後壁                             
１６  縦桟の前壁                             
１７  連結材嵌合用のスリット                 
１８  スリットの太幅部                       
１９  スリットの細幅部                       
２４  固定部                                 
２５  連結材                                 
２６  連結材の当接部                         
２７  連結材の非当接部                       
２８  連結材のリブ部                         
２９  連結材の突起部                         
３２  突起部の首部                           
３３  突起部の大径部
３４  目地材
３５  カバー部材                         
４０  壁固定部材                             
４１  壁固定部材本体                         
４２  壁固定部材の補助金具                   
４５  壁固定部材の背面壁                     
４６  壁固定部材の頂壁                       
４７  壁固定部材の底壁                       
４８  壁固定部材の押圧部                     
５１  補助金具の取付部                       
５２  補助金具の弾接部                       
５５  取付部の頂部                           
５６  取付部の背部                           
５７  弾接部の垂直部                         
５８  弾接部の折返し部                       
６１  カシメなどの固定手段                     
６２  壁固定部材における挟持部               
７０  天井                                   
７１  天井固定部材                           
７２  天井固定部材の本体部                   
７３  張り出し部                             
７４  天井固定部材の係合突起                 
７５  天井固定部材の係合部         
７６  天井の係合孔
７７  表面材の上面の係止孔                   
８０  連結材                                 
【図１】
0006534819.tif 000002
【図２】
0006534819.tif 000003
【図３】
0006534819.tif 000004
【図４】
0006534819.tif 000005
【図５】
0006534819.tif 000006
【図６】
0006534819.tif 000007
【図７】
0006534819.tif 000008
【図８】
0006534819.tif 000009
【図９】
0006534819.tif 000010
【図１０】
0006534819.tif 000011